(57)【要約】  靴に靴カバーを付ける装置であって、バー（２０）と、当該バーの一端にある靴カバー（５０）用拡張ホルダー（２４）を具え、靴カバーが、伸縮性の紐（５１）で締めるネック部分を持つバッグ（５０）を具え、この紐（５１）はバッグのネック部分の円周の少なくとも一部周辺に延在している。スタンド（１０）はガイド（１４）を具えており、バー（２０）をほぼ縦軸の動きに案内する。バー（２０）を上側端部位置に対して付勢する付勢メンバ（３０、３２、３５）が設けられており、ここでは、バー（２０）の下端に装着されているクランピングホルダー（２４）が、スタンド（１０）用の基礎部分（１）から、利用者が都合よく靴カバー（５０）をホルダー（２４）上に装着できる高さに持ち上げる。バーは、付勢装置の動きに抗して下側の状態へ変位可能であり、ここに靴カバーを装着したホルダーが床面に位置している。【選択図】図１
2010511423.tif 000002
【特許請求の範囲】
【請求項１】
靴に靴カバーを装着する装置であって、バー（２０）と、当該バーの一方の端部に靴カバー（５０）用の拡張ホルダー（２４）とを具え、前記靴カバーは、伸縮性の紐（５１）で締められるネックを持つバッグ（５０）を具え、当該紐が前記バッグのネックの周縁の少なくとも一部の周りに延在している装置において、スタンド（１０）がバー（２０）用ガイドを有し、当該ガイドが、前記バーの長手方向におけるほぼ縦軸の動きを可能とし、前記拡張ホルダー（２４）が前記バー（２０）の下端部に装着されている、ことを特徴とする靴に靴カバーを装着する装置。
【請求項２】
請求項１に記載の装置において、前記ホルダーが靴カバー（５０）を受けるリムを具え、前記靴カバーのバッグのネック部分はリム上の外側へ折り畳まれ、伸縮性の紐が前記リムの外側に位置しており、前記靴カバーを前記ホルダー上に保持することを特徴とする装置。
【請求項３】
請求項２に記載の装置において、前記リムの縁が水平方向に見たときにＵ字状であり、前記リムの開口部が装置の前に立っている利用者に向かい合っていることを特徴とする装置。
【請求項４】
請求項１乃至３のいずれか一項に記載の装置において、前記バーが、その下端部に並んで配置されている二つのホルダーを担持していることを特徴とする装置。
【請求項５】
請求項２乃至４のいずれか一項に記載の装置において、前記バーが下端位置を有し、当該位置において、前記リムの上縁が前記バッグの深さを超えて前記基礎部分（１、１１、２２）上のある高さに位置しており、前記靴が前記基礎部分に達する前に、前記靴が前記ホルダーによって担持されているバッグの中に靴が下りる時に、前記伸縮性の紐（５１）を具えるバッグのネックの周辺部分が前記リムから引き離されることを特徴とする装置。
【請求項６】
請求項１乃至５のいずれか一項に記載の装置において、前記バー（２０）がその下側部分にクランプ（７０）を具えており、当該クランプが下側に開いて、前記バッグ（５０）の上縁部分を掴むように作用して、前記バッグ（５０）を前記靴から取り易くすることを特徴とする装置。
【発明の詳細な説明】
【技術分野】
【０００１】
本発明は、請求項１の前文において定義される種類の靴カバー装着装置に係るものである。
【背景技術】
【０００２】
この種の装置は以前から知られており、当該装置は一端に靴カバー用の拡張ホルダーを持つバーを具え、靴カバーが弾性的に締まるネック部分を持つバッグを具え、拡張ホルダーの上に靴カバーを適用することによって靴カバーのネック部分を広げて、ホルダーに装着されたバッグの中に靴を導入することができる。
【０００３】
利用者がバーを持って、利用者の手に対して安定する位置にホルダーがくるようバーを操作して、利用者が簡単に靴カバーをホルダー上に装着できるようにしている。次いで、利用者は、靴カバーを装着したホルダーが床面に着くようにバーを操作して、利用者の足と靴がバッグの中に入ったら、バッグを引き寄せて靴をホルダーから向こう側に置く。
【０００４】
公知の装置の使用は煩雑であった。なぜなら、操作を行う間に装置が利用者をサポートすることができず、また、通常、利用者が拡張ホルダー上に靴カバーをセットするために両手を使えるように、例えばテーブルのような適当な高さに装置を置く必要があるためである。
【０００５】
従って、本発明の目的の一つは、靴カバー装着装置を提供することであり、全体的あるいは部分的に上記の欠点を解決する装置を提供することである。
【０００６】
この目的は本発明によって達成される。
【０００７】
本発明は、添付の独立請求項によって定義される。
【０００８】
本発明の実施例は、添付の従属請求項によって定義される。
【０００９】
以下において、添付の請求項を参照して、例示の形で本発明を詳述する。
【図面の簡単な説明】
【００１０】
【図１】図１は、本発明の装置の概略図である。
【図２】図２は、図１のＩＩ−ＩＩ線に沿った断面図である。
【図３】図３は、図１のＩＩＩ−ＩＩＩ線に沿った断面図である。
【図４】図４は、図２のＩＶ−ＩＶ線に沿った外観略図である。
【図５】図５は、図２のＶ−Ｖ線に沿った概略断面図である。
【図６】図６は、装置の靴バッグホルダーに装着したグリップクランプを示す。
【００１１】
図１において、床面１の上に置かれたスタンド１０が示されている。スタンド１０は、ボトムプレート１１、垂直材１２、そして垂直材１２から延在しており、自由端にバー２０用の垂直なガイド１４を有するアーム１３を具えており、バー２０は上端にハンドル２１が付いた状態で示されている。バー２０はその下端部にベースプレート２２を担持しており、このプレートが靴カバー用の二つのホルダー２４を支持する。
【００１２】
図１において、バー２０は下端位置まで押し下げられた状態で示されており、この状態でベースプレート２２がスタンドプレート１１の上に載っている。上端位置へバー２０を持ち上げる付勢メンバが設けられており、この位置で、ホルダー２４がスタンド１０の側に直立している普通の体格をした利用者の手に適当な高さとなる。図３では、付勢メンバがコード３０を具えており、このコード３０は、バー２０の下端でラジアルアーム２５と連結しており、ガイド１４のガイド溝を通ってガイド１４の壁の開口を抜けて、プーリ３２の周りに延在している。プーリ３２は、ガイドスリーブ１４から、アーム１５で担持されている水平軸１６の周りを回転可能である。カウンターウェイト塊３５は、ベースプレート２２とホルダー２４を含めたバー２０より重い。
【００１３】
ベースプレート２２は、隣り合って配置された二つのホルダー２４を支えており、このホルダーは、水平方向で見たときに概ねＵ字型をしており、各ホルダーが二本の平行なブランチ１２４と該ブランチ１２４と一体化したウェブ１２５を具える縦型リムの形をしている。この二つのホルダー２４は、相互に狭い間隔を取って、平行な状態で示されており、ホルダーの解放側が、バー２０を下げて、及び／又は、各ホルダー２４に足カバーを装着するべく装置の前に立つ利用者のつま先を向いている。
【００１４】
代替として、付勢メンバがスタンド（望ましくはそのガイド１４）とバー２０の間で動作するばねを具えており、このばね（図示せず）は、カウンターウェイトと同じ機能を果たすと共にバーへ連結するように、バー１２を上端位置に付勢するように構成されている。
【００１５】
その他の追加の実施例では、この付勢メンバは全て省略されている。その代わりに、摩擦メンバ１４２を設けることができ、これがガイド１４によるバー２０の変位を可能とし、同様に、バー２０が無負荷の状態にあるときは、バーと、これによってホルダー２４を、重力に反して、設定した変位位置に保持する。摩擦メンバ１４２は、図３に示すとおり、バー２０に面するガイド１４の表面で対応する適合と粗度をもって確立されている。
【００１６】
図４および図５においては、靴カバーバッグ５０が示されている。このバッグは通常、ビニールバッグの形であり、バッグの口近傍のネック部分周囲のより大きな部分に伸縮性の紐５１が設けられており、この紐は何も入っていない状態でバックのネック部分を結んでいる。利用者はバッグの底の部分をホルダー２４中に押し下げることができ、リムの上縁部分にバッグのネック部分を折り返して、紐５１がバッグのネック部分をホルダーの上の部分でクランプするようにしている。ホルダーの上に装着されているバッグ５０は、底と上側ストライプ（紐５１）の間に最大高さがあり、この最大高さは、ホルダーが下方に向かってベースプレート２２で区切られているか否かにかかわらず、ホルダーの垂直方向の総エクステンションより短い。このような実施例では、利用者が足をバッグの中に入れて、ホルダーの下端面を踏み付けたときに、バッグが必ずホルダー２４から取り外される。例えば、バッグのネック部分がホルダー２４の外側に距離ｓ分折り返されている場合、バッグの底とホルダー下側面との間の距離ｔは、距離ｓよりも大きいはずである。
【００１７】
もちろん、この装置を図に示す例から発展させて、例えば、上側の状態から下側の状態へと変位する間にホルダー２４が広くなるように、逆に言えば、靴カバーをそれぞれのホルダーの上端部に装着し易くして、ホルダー２４の下端位置で靴をバッグに入れ易くするようにしてもよい。このような拡張部材と収縮部材は、それぞれ、例えば、合流／分岐レールを具えていてもよく、これらのレールは、ホルダー２４内のブランチ１２４上で関連するフォローワに係合している。
【００１８】
この装置の変形例においては、ベースプレート２２が省略されていて、バー２０とホルダー２４の下端位置は、図４、図５に示す装置と同様に、基礎部分（つまりスタンド板１１又は部屋の床面１）がバッグ５０の底に対して距離ｔのところにあり、同じバッグのホルダー２４からの脱着（ｄｒａｗｉｎｇ−ｏｆｆ）効果が達成されるようになっている。当該変形例においては、本発明の更なる発展型により、ホルダー／複数ホルダー２４が下方に開放しているクランプ７０を担持しており、従ってこの装置は、バー２０によって垂直方向に変位させて、可能利用者の足及び／又は靴の上に装着したバッグ５０の上縁を掴むことができる。利用者は足と靴とをこの関係に配置し、クランプ７０が利用者のアキレス腱近くでバッグの上縁と係合した状態になる。クランプ７０が移動してバッグ５０の上縁を掴むと、利用者はクランプに連動して足を持ち上げることができ、とりわけ足の踵部分を  持ち上げて、踵から始まって靴がバッグから抜ける。バッグはクランプで挟まれており、バーによって、利用者がクランプからバッグを引き離してバッグをバッグストッカーに移すことができる好適な高さに引き上げられる。図１および図２に示すように、クランプ７０は、バー２０及び／又はホルダー２４によって担持することができ、またクランプ７０は、有利なことに、図１、図２に示す実施例では、二つのホルダー２４間のホルダーの開放端側領域に位置している。クランプ７０は、下向きの２本の弾性クランピングフィンガから構成しても良く、これは、下から上に向かって広がる挿入スロットを形成している。このスロットにバッグ５０の上縁を導入することができる。このスロットは、これに関連して、バッグの上縁が係合する絞りスポットに変形し、このスロットは上側に広がってバッグの開口エッジ部における弾性ゴムを受け易くすることが好ましい。少なくともクランピングフィンガの一本は弾性的に屈曲可能であり、その他のクランピングフィンガーに対して付勢されている。代替的に、クランピングフィンガの少なくとも一本を回動可能として、その他のクランピングフィンガに対して付勢されていてもよい。
【００１９】
図に示す実施例では、バー２０用のガイド１４が床などの基礎部分１の上に直立しているスタンド１０で担持されているが、このガイド１４は、明らかに、壁から程よい間隔にガイド１４を配置する適当なアタッチメントを用いて部屋の壁に装着することができる。
【００２０】
更に、図６を参照すると、ホルダー２４がボトムプレート２２を具える必要が無く、基礎部分１に届く必要も無いが、下端部が基礎部分１の上方に距離を取って位置しており、靴がホルダーのリムに装着されたバッグの中に押し下げられたときに、図５に関連して説明した脱着効果が生じるような高さと距離が基礎部分１の上方にあることが明らかである。
【図１】
2010511423.tif 000003
【図２】
2010511423.tif 000004
【図３】
2010511423.tif 000005
【図４】
2010511423.tif 000006
【図５】
2010511423.tif 000007
【図６】
2010511423.tif 000008
【国際調査報告】
2010511423.tif 000009
2010511423.tif 000010
2010511423.tif 000011
2010511423.tif 000012